(57)【特許請求の範囲】
【請求項１】
高周波電流を身体の臀部もしくは大腿部と手部との間に印加できるように配設してなる一対の電流電極と、
身体の臀部もしくは大腿部と手部に接触できるように配設してなる抵抗電位を測定する電位測定用の一対の電圧電極と、
前記電流電極と前記電圧電極により身体内部インピーダンスを測定し体脂肪率を算出する算出装置を
備え、
前記臀部もしくは大腿部に接触できるように配設してなる前記電流電極、及び前記電圧電極を便座着座面の左右各側のいずれか一方にそれぞれ配してなる体脂肪測定トイレ装置。
【請求項２】
高周波電流を身体の臀部もしくは大腿部と手部との間に印加できるように配設してなる一対の電流電極と、
身体の臀部もしくは大腿部と手部に接触できるように配設してなる抵抗電位を測定する電位測定用の一対の電圧電極と、
前記電流電極と前記電圧電極により身体内部インピーダンスを測定し体脂肪率を算出する算出装置を
備え、
前記臀部もしくは大腿部に接触できるように配設してなる前記電流電極、及び前記電圧電極を便座着座面及び臀部上部に接触できるように構成してなる便座後方部材のいずれか一方にそれぞれ配してなる体脂肪測定トイレ装置。
【請求項３】
前記臀部もしくは大腿部に接触できるように配してなる前記電流電極、及び前記電圧電極を便座着座面及び便座前方より突出し大腿部に接触できるように形成してなる請求項１または２に記載の体脂肪測定トイレ装置。
【請求項４】
前記手部に接触できるように配してなる前記電流電極、前記電圧電極を、右手及び左手のいずれか一方にそれぞれ接触できるように便座周辺に構成してなる握り部に配してなる請求項１から３のいずれか１項に記載の体脂肪測定トイレ装置。
【請求項５】
前記手部に接触できるように配設してなる前記電流電極、及び前記電圧電極を便座後方部に構成してなるケース部材の左右各側のいずれか一方にそれぞれ配設してなる請求項１から３のいずれか１項に記載の体脂肪測定トイレ装置。
【請求項６】
前記手部に接触できるように配してなる前記電流電極及び前記電圧電極を、指部及び掌部のいずれか一方にそれぞれ接触できるように便座周辺部材に配設してなる請求項１から３のいずれか１項に記載の体脂肪測定トイレ装置。
【請求項７】
前記電流電極または前記電圧電極の少なくとも一つは導電性フィラーを含有した樹脂材料により形成してなる請求項１から６のいずれか１項に記載の体脂肪測定トイレ装置。
【請求項８】
前記電流電極と前記電圧電極の少なくとも一つは身体が接触する方向に柔軟性を有する材料を備えた請求項１から７のいずれか１項に記載の体脂肪測定トイレ装置。
【発明の詳細な説明】
【０００１】
【発明の属する技術分野】
本発明は、トイレ内で臀部等を利用して体脂肪を測定する装置、特にこの体脂肪測定のための電極構成に関するものである。
【０００２】
【従来の技術】
家庭で日々の健康管理を行う機器の一つとして、生体インピーダンス測定による体脂肪率計が近年急激に普及してきている。この体脂肪率計は両手間、もしくは両足間の生体インピーダンスを測定し、予め統計的手法によって導き出した相関式を基に、体脂肪率を算出している。
【０００３】
一方、電流経路が両手間や両足間だけでなく、胴体部も含めた経路を導入することにより測定精度を高めたものも考案されている。例えば、特開２０００−１２６０８８号公報に記載された説明では、トイレの便座部及び手で握れる部位に電極を構成することにより、腰周りを含めた胴体部分の生体インピーダンスも付加した体脂肪測定構成を記載している。図１０において、１は温水洗浄便座であり便器２に設置されている。温水洗浄便座１の便座部３には、着座時に便座部３が左臀部に接触するように、通電用の便座部電流電極４及び電位測定用の便座部電圧電極５を構成している。また、温水洗浄便座１の右サイドには棒状の部材６が設置され、手部の通電用の手部電流電極７及び電位測定用の手部電圧電極８が構成されている。そして便座部３に着座し、棒状の部材６の手部電流電極７、手部電圧電極８を手で握ることにより、手部と左臀部間の身体内部のインピーダンスを測定し、体脂肪率を算出していた。
【０００４】
【発明が解決しようとする課題】
しかしながら、従来の体脂肪測定トイレ装置では、便座に着座する際の座り方、着衣の状況等により便座と臀部の位置関係が変動するので、各電流電極４、７、及び各電圧電極５、８により測定される身体内部のインピーダンス値がばらつき、この身体内部のインピーダンス値より算出される体脂肪率にばらつきが生じ、実際の体脂肪率は変わらないのに、便座への座り方等によって体脂肪率が増減するという課題があった。
【０００５】
本発明は、上記従来の課題を解決するもので、上記便座着座時の便座と臀部の位置関係等、電流電極及び電圧電極と身体との接触位置の影響により体脂肪率算出の基となる身体内部インピーダンスのばらつきがほとんど発生しないように、電流電極、電圧電極を構成することにより、測定精度の高い体脂肪測定トイレ装置の提供を目的とする。
【０００６】
【課題を解決するための手段】
前記従来の課題を解決するために、本発明の体脂肪測定トイレ装置は、高周波電流を身体の臀部もしくは大腿部と手部との間に印加できるように配設してなる一対の電流電極と、身体の臀部もしくは大腿部と手部に接触できるように配設してなる抵抗電位を測定する電位測定用の一対の電圧電極と、この電流電極と電圧電極により身体内部インピーダンスを測定し体脂肪率を算出する算出装置を備え、前記臀部もしくは大腿部に接触できるように配設してなる前記電流電極、及び前記電圧電極を便座着座面の左右各側のいずれか一方にそれぞれ配したものである。
【０００７】
これによって、体脂肪測定時に電流電極及び電圧電極と身体との接触位置の影響により体脂肪率算出の基となる身体内部インピーダンスのばらつきがほとんど発生しないように構成でき、測定精度を高めることができる。この場合、特に、臀部もしくは大腿部に接触できるように配設してなる電流電極、電圧電極を、便座着座面の左右各側のいずれか一方にそれぞれ配設することにより、着座により一対の電流電極に形成される電流導通経路は、臀部もしくは大腿部の左右一方側より手部への経路となり、臀部もしくは大腿部の他方側の電圧電極と手部の電圧電極により測定される身体内部インピーダンスの測定区間は手部と左右大腿部の付根近傍間となるため、便座の着座位置が左右、前後に変動しても、身体内部インピーダンスの測定区間はほとんど変わらず、体脂肪測定の精度を高めることができる。
【０００８】
【発明の実施の形態】
請求項１に記載の発明は、高周波電流を身体の臀部もしくは大腿部と手部との間に印加できるように配設してなる一対の電流電極と、身体の臀部もしくは大腿部と手部に接触できるように配設してなる抵抗電位を測定する電位測定用の一対の電圧電極により身体内部インピーダンスを測定し体脂肪率を算出する算出装置を備え、前記臀部もしくは大腿部に接触できるように配設してなる前記電流電極、及び前記電圧電極を便座着座面の左右各側のいずれか一方にそれぞれ配したことにより、体脂肪測定の際に、着座により一対の電流電極に形成される電流導通経路は、臀部もしくは大腿部の左右一方側より手部への経路となり、臀部もしくは大腿部の他方側の電圧電極と手部の電圧電極により測定される身体内部インピーダンスの測定区間は手部と左右大腿部の付根近傍間となるため、便座の着座位置が左右、前後に変動しても、身体内部インピーダンスの測定区間はほとんど変わらず、体脂肪測定の精度を高めることができる。
【０００９】
請求項２に記載の発明は、高周波電流を身体の臀部もしくは大腿部と手部との間に印加できるように配設してなる一対の電流電極と、身体の臀部もしくは大腿部と手部に接触できるように配設してなる抵抗電位を測定する電位測定用の一対の電圧電極と、前記電流電極と前記電圧電極により身体内部インピーダンスを測定し体脂肪率を算出する算出装置を備え、前記臀部もしくは大腿部に接触できるように配設してなる電流電極、電圧電極を、便座着座面及び臀部上部に接触できるように構成してなる便座後方部材にそれぞれ配設することにより、一対の電流電極により形成される電流導通経路は、臀部もしくは大腿部の一方側より手部への経路となり、臀部上部に接触できるように構成してなる便座後方部材に配設される電圧電極と手部の電圧電極により測定される身体内部インピーダンスの測定区間は手部と臀部上方の電圧電極配設部近傍間となるため、便座の着座位置が左右、前後に変動しても、身体内部インピーダンスの測定区間はほとんど変わらず、体脂肪測定の精度を高めることができる。一方、一対の電流電極、電圧電極の位置を上記の逆位置にそれぞれ配設しても、同様な効果を奏することが可能である。
【００１０】
請求項３に記載の発明は、特に、請求項１または２に記載の前記臀部もしくは大腿部に接触できるように配設してなる前記電流電極、電圧電極を、便座着座面及び便座前方より突出し大腿部に接触できるように形成してなる便座構成部にそれぞれ配設することにより、一対の電流電極により形成される電流導通経路は、臀部もしくは大腿部の一方側より手部への経路となり、便座前方より突出し大腿部に接触できるように形成してなる他方側の便座構成部に配設される電圧電極と手部の電圧電極により測定される身体内部インピーダンスの測定区間は手部と左右大腿部の付根近傍間となるため、便座の着座位置が左右、前後に変動しても、身体内部インピーダンスの測定区間はほとんど変わらず、体脂肪測定の精度を高めることができる。一方、一対の電流電極、電圧電極の位置を上記の逆位置にそれぞれ配設しても、同様な効果を奏することが可能である。
【００１１】
請求項４に記載の発明は、特に、請求項１から３のいずれか１項に記載の前記手部に接触できるように配設してなる前記電流電極、電圧電極を、右手及び左手のいずれか一方にそれぞれ接触できるように便座周辺に構成してなる握り部に配設することにより、一対の電流電極により形成される電流導通経路は、臀部もしくは大腿部より手の握り部左右一方側への経路となり、手部の他方側の握り部に配設する電圧電極と臀部もしくは大腿部の電圧電極により測定される身体内部インピーダンスの測定区間は左右腕の付根部分近傍と臀部もしくは大腿部間、すなわちほぼ胴体部分となるため、手の握り方、握り位置が変動しても、身体内部インピーダンスの測定区間はほとんど変わらず、体脂肪測定の精度を高めることができる。
【００１２】
請求項５に記載の発明は、特に、請求項１から３のいずれか１項に記載の前記手部に接触できるように配設してなる前記電流電極、電圧電極を、便座後方部に構成してなるケース部材の左右各側の一方に配設することにより、一対の電流電極により形成される電流導通経路は、臀部もしくは大腿部より上記ケース部材の手部の接触部の左右一方側への経路となり、上記ケース部材の左右各側の他方に配設する電圧電極と臀部もしくは大腿部の電圧電極により測定される身体内部インピーダンスの測定区間は左右腕の付根部分近傍と臀部もしくは大腿部間、すなわちほぼ胴体部分となるため、手との接触具合、接触位置が変動しても、身体内部インピーダンスの測定区間はほとんど変わらず、体脂肪測定の精度を高めることができる。
【００１３】
請求項６に記載の発明は、特に、請求項１から３のいずれか１項に記載の前記手部に接触できるように配設してなる前記電流電極、電圧電極を、指部及び掌部にそれぞれ接触できるように便座周辺部材に配設することにより、一対の電流電極により形成される電流導通経路は、臀部もしくは大腿部より指部への経路となり、肘部に配設する電圧電極と臀部もしくは大腿部の電圧電極により測定される身体内部インピーダンスの測定区間は掌部と臀部もしくは大腿部間となるため、掌部という位置変動のきわめて小さな位置であり、接触位置変動も小さく、身体内部インピーダンスの測定区間はほとんど変わらず、体脂肪測定の精度を高めることができる。また、上記掌部を左右の他方側に配設する場合には、請求項５，６と同様に、指部、及び掌部との接触具合、接触位置が変動しても、身体内部インピーダンスの測定区間はほとんど変わらず、体脂肪測定の精度を高めることができる。
【００１４】
請求項７に記載の発明は、特に、請求項１から６のいずれか１項に記載の前記電流電極あるいは電圧電極を、導電性フィラーを含有した樹脂材料により形成することにより、電流電極、電圧電極を配設する便座もしくは便座周辺部材の形状に影響されることなく、身体測定部位に確実に接触でき、デザイン性にも優れた形状で容易に構成でき、体脂肪測定の精度を高めることができる。
【００１５】
請求項８に記載の発明は、特に、請求項１から７のいずれか１項に記載の前記電流電極あるいは電圧電極と身体が接触する方向に柔軟性を有する材料によりこの電流電極あるいは電圧電極を形成することにより、この電極の柔軟性により身体と電極との接触面積が増加するので、電流電極、電圧電極と身体との接触レベルを高めることができ、体脂肪測定の際、接触状態が悪く測定エラー等が出ることなく、確実に高精度に体脂肪測定することが可能となる。個人差にもよるが、特に、身体の皮膚が乾燥しやすい乾燥肌の人にとっては、電極の身体との接触面に水分や導電性クリーム等を付けたりすることもなく、極めて有効である。
【００１６】
【実施例】
以下本発明の実施例について、図面を参照しながら説明する。
【００１７】
（実施例１）
図１は本発明の実施例１における体脂肪測定トイレ装置の斜視図を示すものである。
【００１８】
図１において、９は温水洗浄便座であり便器１０に設置されている。温水洗浄便座９の便座部１１の着座表面には、体脂肪測定用のための通電用の便座部電流電極１２及び電位測定用の便座部電圧電極１３が臀部もしくは大腿部の左右各位置にそれぞれ配設されている。また、温水洗浄便座９の右袖構成部１４には、手で握れる構造の手電極構成部１５が固定されており、手電極構成部１５にはステンレス材よりなる通電用の手電極構成部電流電極１６及び電位測定用の手電極構成部電圧電極１７が巻きつけ固定されている。そして便座部電流電極１２と手電極構成部電流電極１６で一対の電流電極を構成し、また便座部電圧電極１３と手電極構成部電圧電極１７で一対の電圧電極を構成する。
【００１９】
次に動作、作用を説明する。図２は体脂肪測定位置を示す概略図であるが、手電極構成部電流電極１６、便座部電流電極１２はそれぞれ図２で示す身体部位のＡ、Ｂに、手電極構成部電圧電極１７、便座部電圧電極１３はそれぞれ身体部位のＣ、Ｄに接触するように構成されているため、便座部１１に着座することにより電流導通経路は点線ＡＢとなる。また、手電極構成部電圧電極１７、便座部電圧電極１３により測定される電位測定経路は点線ＣＤとなるが、実際に電位が測定される身体内部は、この電流導通経路及び電圧測定経路が交叉する左右両脚間の付根部分をＥとすると、手部Ｃと両脚間付根部分Ｅの間となる。このため、体脂肪測定の基となる身体内部インピーダンスは手部Ｃと両脚間付根部分Ｅ間のインピーダンスとなる。１８はこの身体内部インピーダンスを測定し体脂肪率を算出する算出装置であり、電流導通経路ＡＢに微弱な高周波電流（５０ｋＨｚ、５００μＡ）を流し、身体内部の電位測定区間ＣＥの電位を測定し、４端子法により身体内部インピーダンスＣＥを求め体脂肪率を算出する。ここで、身体内部インピーダンスから、体脂肪率を算出する方法としては、身長及び体重をパラメータとして、この身体内部インピーダンスと体密度との相関式を統計的手法により求め、Ｂｒｏｚｅｋの式により、計算している。
【００２０】
以上のように、臀部もしくは大腿部に接触できるように配設してなる便座部電流電極１２、便座部電圧電極１３を、便座着座面の左右各側のいずれか一方にそれぞれ配設することにより、一対の電流電極により形成される電流導通経路は、手部より臀部もしくは大腿部の左右一方側への経路ＡＢとなり、臀部もしくは大腿部の他方側の電圧電極と手部の電圧電極により測定される身体内部インピーダンスの測定区間は手部と左右大腿部の付根近傍間ＣＥとなるため、便座の着座位置が左右、前後に変動しても、身体内部インピーダンスの測定区間ＣＥはほとんど変わらず、体脂肪測定の精度を高めることができるものである。さらには、便座片側に電極が配設することもなく、左右両側に配設できるので見た目のデザイン性も向上する。
【００２１】
実際にこの効果をみるため、臀部もしくは大腿部の便座部電流電極１２、便座部電圧電極１３を臀部もしくは大腿部の左側一方に配設した比較例の構成を作製した。図３は、本発明の第１の実施例の比較例を示す体脂肪測定トイレ装置の斜視図であるが、図１に示す便座部１１の便座部電流電極１２、便座部電圧電極１３を配設せずに、便座部１１の左側一方に便座部電流電極１９、便座部電圧電極２０を配設している。
【００２２】
図４は、この場合の体脂肪測定位置を示す概略図であるが、手電極構成部電流電極１６、便座部電流電圧１９はそれぞれ図４で示す身体部位のＡ、Ｆに、手電極構成部電圧電極１７、便座部電圧電極２０はそれぞれ身体部位のＣ、Ｇに接触するように構成されているため、便座部１１に着座することにより電流導通経路は点線ＡＦとなる。また、手電極構成部電圧電極１７、便座部電圧電極２０により測定される電位測定経路は点線ＣＧとなり、実際に電位が測定される身体内部もこの電位測定経路ＣＧ間となる。このため、体脂肪測定の基となる身体内部インピーダンスもこの電位測定経路ＣＧ間のインピーダンスとなる。なお、２１は体脂肪率算出装置１８を上記測定位置変化に伴う相関式修正を施したものである。
【００２３】
以上のように、臀部もしくは大腿部に接触できるように配設してなる便座部電流電極１９、便座部電圧電極２０を、便座着座面の同じ左側に配設することにより、身体内部インピーダンスの測定区間は手電極構成部電圧電極１７及び便座部電圧電極２０間となるため、着座位置が前後左右に移動することにより、身体内部インピーダンスもばらつくこととなる。
【００２４】
実際に、本発明の実施例である図１に示す構成の体脂肪測定トイレ装置と比較例である第３図に示す構成の体脂肪測定トイレ装置の比較実験を行った。同一人物、同一時間に体脂肪率の変化がほとんどないと想定される条件で、この比較実験を５人で、２０回ずつ便座部１１に着座し直し体脂肪率を測定してみた。そして、上記体脂肪率測定による各２０データの平均値、３σを算出しばらつき（±３σ／平均値）を検証した。比較例の図３で示す構成では、この５人のばらつきが±４〜６％の範囲であったが、本実施例の図１に示す構成では、この５人のばらつきを±２〜３％の範囲であり、本発明の効果を明確に実証する結果であった。体脂肪測定には、機器、姿勢、身体内部の各種変動等多くのばらつき要因が想定されるが、本発明による構成により体脂肪測定の位置要因による体脂肪率のばらつきについては、十分に抑制されたのではないかと考えられる。
【００２５】
（実施例２）
次に、図５は本発明の実施例２における体脂肪測定トイレ装置の斜視図を示すものである。
【００２６】
図５において、温水洗浄便座２２の便座部２３の着座表面には、体脂肪測定用のための通電用の便座部電流電極２４が配設されており、また温水洗浄便座２２の本体ケースと便座部間の部分に本体ケース部電圧電極２５をケース本体より出し入れできる構造で構成している。この本体ケース部電圧電極２５は体積固有抵抗が５×１０−２Ωｃｍのオレフィン系エラストマで成形されており、十分な柔軟性も有している。また、２６は手で握れる構造の手電極構成部であり、手電極構成部電流電極２７、手電極構成部電圧電極２８が配設されており、本体ケース内部の体脂肪率算出装置と電気的に接続されている。なお、２９は、温水洗浄便座、体脂肪測定の操作リモコンであり、赤外線により送受信される。
【００２７】
そして便座部電流電極２４と手電極構成部電流電極２７により一対の電流電極を構成し、また本体ケース部電圧電極２５と手電極構成部電圧電極２８により一対の電圧電極を構成する。
【００２８】
次に動作、作用を説明する。本実施例においても、一対の電流電極により形成される電流導通経路は、手部より臀部もしくは大腿部の左側への経路となり、本体ケースの本体ケース部電圧電極２５を突出させることにより、便座部２３への着座時、本体ケース部電圧電極２５と右臀部上部に接することになり、この電圧電極２５と手部の手電極構成部電圧電極２８により測定される身体内部インピーダンスの測定区間は、第１の実施例と同様に、手部と左右大腿部の付根近傍間となるため、便座の着座位置が左右、前後に変動しても、身体内部インピーダンスの測定区間ＣＥはほとんど変わらず、体脂肪測定の精度を高めることができるものである。
【００２９】
また、臀部もしくは大腿部に接触できるように配設してなる電流電極、電圧電極を、便座着座面及び便座前方より突出し大腿部に接触できるように形成しても、同様の効果を奏することができる。
【００３０】
（実施例３）
次に、図６は本発明の実施例３における体脂肪測定トイレ装置の斜視図を示すものである。
【００３１】
図６において、温水洗浄便座３０の本体ケースの左右側面より筒状の手電極構成部３１、３２が取り付けられており、この手電極構成部３１、３２には、それぞれ手部電流電極３３、手部電圧電極３４が巻き付けられ固定されている。また、便座部３５の左右着座表面に便座部電流電極３６、便座部電圧電極３７が配設されている。なお、３８は、温水洗浄便座、体脂肪測定の操作リモコンであり、赤外線により送受信される。
【００３２】
次に動作、作用を説明する。図７はこの体脂肪測定位置を示す概略図であるが、手部電流電極３３、便座部電流電極３６はそれぞれ図６で示す身体部位のＨ、Ｉに、手部電圧電極３４、便座部電圧電極３７はそれぞれ身体部位のＪ、Ｋに接触するように構成されているため、電流導通経路は点線ＨＩ、電位測定経路は点線ＪＫとなるが、実際に電位が測定される身体内部は、この電流導通経路及び電圧測定経路が交叉する胴体上部、下部をそれぞれＬ、Ｍとすると、点線ＬＭ間となる。このため、体脂肪測定の基となる身体内部インピーダンスは胴体上部Ｌと胴体下部Ｍ間となり、電流電極４の接触位置の影響により体脂肪率が変動することはなくなる。また、３９はこの身体内部インピーダンスを測定し体脂肪率を算出する算出装置であり、前実施例と同様に、４端子法によりＬＭ間の身体内部インピーダンスを求め体脂肪率を算出するが、上記のため体脂肪率の精度を飛躍的に高めるものである。
【００３３】
以上のように、手部に手部に接触できるように配設してなる手部電流電極３３、手部電圧電極３４を、右手及び左手にそれぞれ接触できるように構成し、臀部もしくは大腿部に接触できるように配設してなる便座部電流電極３６、便座部電圧電極３７を、便座着座面の左右各側にそれぞれ配設することにより、測定される身体内部インピーダンスの測定区間は胴体部分となるため、手の握り方が変わっても、便座の着座位置が左右、前後に変動しても、身体内部インピーダンスの測定区間ＬＭは上記胴体部分だけであり、ほとんど変わることなく、体脂肪測定の精度を高めることができるものである。なお、本構成によれば、体脂肪測定で特に気になる腰周りの脂肪量も精度よく測定できる効果もあり、他の身体部位との併用で、さらに身体細部にわたった体脂肪分布の測定を可能にするものであり、体脂肪率と有病指数との相関も高められるものである。さらには、各部位ごとに測定用の高周波電流を設定して、さらに高精度化を図ることも可能である。
【００３４】
（実施例４）
次に、図８は本発明の実施例４における体脂肪測定トイレ装置の斜視図を示すものである。
【００３５】
図８において、温水洗浄便座４０の本体ケースの左右側面よりステンレス材よりなるＬ字棒状の手摺棒４１，４２が設置され、この先端にそれぞれ低抵抗の導電性樹脂よりなる握り部４３、４４が取り付けられている。また、便座部４５の左右着座表面に便座部電流電極４６、便座部電圧電極４７が配設されている。なお、４８は温水洗浄便座４０が設置された便器である。
【００３６】
次に動作、作用を説明する。この実施例の場合も、上記握り部４３、４４を電圧電極、電流電極とすることにより、上記電流電極４により測定される身体内部のインピーダンスは胴体部分となり、実施例３と同様な高い効果を奏するものである。また、手摺棒４１、４２は、ステンレス材で電気導通があるため温水洗浄便座本体内部でこの手摺棒に配線することで、体脂肪測定を可能にするものである。さらに、握り部４３、４４は導電性樹脂であるため、寒い時でも測定時に、手で握っても、金属のような冷たさを感じることはない。
【００３７】
（実施例５）
次に、図９は本発明の実施例５における体脂肪測定トイレ装置の斜視図を示すものである。
【００３８】
図９において、４９は便器であり、便器４９には温水洗浄便座５０が設置されている。この温水洗浄便座５０の本体ケース５１は、低抵抗の導電性樹脂で成形されており、凹部５２の下方に電気絶縁材５３を介して電極５４が配設されている。また、便座部５５の左右着座表面に便座部電流電極５６、便座部電圧電極５７が配設されている。
【００３９】
次に動作、作用を説明する。この実施例の場合も、便座部５５表面に着座し、本体ケース５１のＮ部に掌を接触させ、電流電極５４に指を接触させることにより、本体ケース５１を電圧電極、電流電極５４を電流電極とすることにより、上記電流電極４により測定される身体内部のインピーダンスは、第１の実施例で詳述したように着座位置による変動もなく、さらに手部との接触位置、接触具合による変化も抑制されるので、きわめて高い測定精度を提供するものである。
【００４０】
次に、電流電極あるいは電圧電極の仕様について説明する。電極材料は、トイレ装置ということからを、防錆性の良好なステンレスを中心とする金属が一般的であるが、樹脂材料に金属メッキをしたものであっても、導電性ペーストで構成したものであってもよく、低抵抗であれば、導電性フィラーを含有した樹脂材料により形成してものであってもよい。この導電性フィラーを含有した導電性樹脂材料としては、導電性フィラーとしてカーボンブラック、ステンレス繊維、ステンレスマイクロファイバー、黄銅繊維等各種あり、バインダ樹脂としては一般のプラスチック材料で加工可能である。また、この導電性樹脂材料は、好ましくは１０−１Ωｃｍ以下の体積固有抵抗であれば、体脂肪測定の電極として十分に使用可能である。また、電極抵抗がこの値よりある程度高くても、測定の際に、この電極抵抗分を補正することによって容易に実現できる。この導電性フィラーを含有した樹脂材料を使用することにより、わざわざ電極を配設することなく、上記実施例でも説明したように、ケース等の成形品の外郭を電極に兼用でき、加工性、組立て性、デザイン性を向上できるばかりでなく、寒い時に特に気になる金属電極の冷たさ、さらには金属バリ等から安全性の面で極めて有効である。
【００４１】
さらに、電流電極あるいは電圧電極と身体が接触する方向に柔軟性を有する材料によりこの電流電極あるいは電圧電極を形成することにより、電流電極、電圧電極と身体との接触レベルを高め、確実に高精度に体脂肪測定することが可能となるが、柔軟性材料としては、上記各種導電性フィラーをゴム、エラストマ等の柔軟性材料に添加した材料でよく、容易に加工できるものである。また、好ましくは、体脂肪測定で電極と身体が接触した際に、身体との接触方向に５％以上距離が変化する電極材料、形状であるとよい。また、柔軟性材料よりなる電極を用いることにより、便座や便座周辺部材の曲面部分への配設も容易になり、デザイン性も自由度が拡大されるものである。
【００４２】
以上述べてきたように、本発明は有病指数と相関があると言われる体脂肪測定の精度を向上させるという健康管理の上で極めて有効なものであり、さらには簡易な電極構成で実現可能なものであるが、体脂肪測定の電流電極、あるいは電圧電極の接触位置の影響により身体内部インピーダンスがほとんど発生しないように、少なくとも臀部もしくは大腿部と手部のいずれか一方は、電流電極及び電圧電極を身体各部位の異なる位置で接触するように、便座もしくは便座周辺部材に配設する構成であれば、どのような構成であってもよい。
【００４３】
【発明の効果】
以上のように、本発明によれば、体脂肪測定用の電流電極及び電圧電極と身体との接触位置の影響による身体内部インピーダンスのばらつきを抑制することができ、体脂肪測定トイレ装置の測定精度を高めることができる。
【図面の簡単な説明】
【図１】  本発明の実施例１における体脂肪測定トイレ装置の斜視図
【図２】  本発明の実施例１における体脂肪測定トイレ装置の体脂肪測定位置を示す概略図
【図３】  本発明の実施例１の比較例における体脂肪測定トイレ装置の斜視図
【図４】  本発明の実施例１の比較例における体脂肪測定トイレ装置の体脂肪測定位置を示す概略図
【図５】  本発明の実施例２における体脂肪測定トイレ装置の斜視図
【図６】  本発明の実施例３における体脂肪測定トイレ装置の斜視図
【図７】  本発明の実施例３における体脂肪測定トイレ装置の体脂肪測定位置を示す概略図
【図８】  本発明の実施例４における体脂肪測定トイレ装置の斜視図
【図９】  本発明の実施例５における体脂肪測定トイレ装置の斜視図
【図１０】  従来の体脂肪測定トイレ装置の斜視図
【符号の説明】
１１、２３、３５、４５、５５、３  便座部
１２、１９、２４、３６、４６、５６、４  便座部電流電極（電流電極）
１３、２０、３７、４７、５７、５  便座部電圧電極（電圧電極）
２５  本体ケース部電圧電極（電圧電極）
１６、２７  手電極構成部電流電極（電流電極）
１７、２８  手電極構成部電圧電極（電圧電極）
１８、２１、３９  体脂肪率算出装置
３３、７  手部電流電極（電流電極）
３４、８  手部電圧電極（電圧電極）
４４  握り部（電流電極）
４３  握り部（電圧電極）
５１  本体ケース（掌部）
５４  電流電極（指部）
【図１】
0004529303.tif 000002
【図２】
0004529303.tif 000003
【図３】
0004529303.tif 000004
【図４】
0004529303.tif 000005
【図５】
0004529303.tif 000006
【図６】
0004529303.tif 000007
【図７】
0004529303.tif 000008
【図８】
0004529303.tif 000009
【図９】
0004529303.tif 000010
【図１０】
0004529303.tif 000011